(57)【要約】        【課題】  スロットマシンに関し、回転リールの回転中に、遊技者がトイレ等により離席した際に、回転中の回転リールを一時停止させ、遊技者が遊技を再開後、一時停止中の回転リールを再始動させることができるようにしたものである。        【解決手段】  遊技制御装置(200)には、離席検出手段(110)により離席状態が検出されたことを条件に、回転中の回転リール(31〜33)に対応するリールモータ(34〜36)の駆動を停止させ、当該回転リール(31〜33)を一時停止させることで遊技を一時中断させるための遊技一時中断手段(360)、遊技再開検出手段(110)により遊技再開状態が検出されたことを条件に、一時停止させていた回転リール(31〜33)に対応するリールモータ(34〜36)の駆動を開始させ、当該回転リール(31〜33)の回転を再開させることで一時中断中の遊技を再開させるための遊技再開手段(370)を備える。    【選択図】    図１
2008142419.tif 000002
【特許請求の範囲】
【請求項１】
表示窓に臨むとともに、外周に複数種類の図柄を表示する複数個の回転リールと、
前記回転リールを個別に回転するための前記各回転リールに対応する複数個のリールモータと、
所定数の賭数設定を条件に、前記複数個のリールモータを駆動することで、前記複数個の回転リールの回転を開始させるためのスタートスイッチと、
前記各回転リールに対応するとともに、当該各回転リールの前記リールモータの駆動を停止させることで、当該回転リールの図柄を前記表示窓に停止表示可能な複数個のストップスイッチと、
前記複数個のリールモータ、前記スタートスイッチ、前記複数個のストップスイッチにそれぞれ接続され、遊技を制御するための遊技制御装置とを備え、
前記遊技制御装置には、
前記スタートスイッチの操作にもとづいて、役の当否を抽選により決定するための役抽選手段と、
前記役抽選手段の抽選結果、及び前記各ストップスイッチの操作にもとづいて、当該各ストップスイッチに対応する前記リールモータの駆動を制御することで、当該リールモータに対応する前記各回転リールの停止制御を行うためのリール停止制御手段とを備えるスロットマシンにおいて、
前記遊技制御装置には、
前記スロットマシンにおいて遊技を行っていた遊技者が、当該スロットマシンから離れた離席状態を検出するための離席検出手段と、
前記スロットマシンを離席した遊技者が、当該スロットマシンにおいて遊技を再開した遊技再開状態を検出するための遊技再開検出手段と、
前記回転リールの回転中に、前記離席検出手段により離席状態が検出されたことを条件に、当該回転中の前記回転リールに対応する前記リールモータの駆動を停止させ、当該回転リールを一時停止させることで遊技を一時中断させるための遊技一時中断手段と、
前記遊技一時中断手段による遊技の一時中断中に、前記遊技再開検出手段により遊技再開状態が検出されたことを条件に、一時停止させていた前記回転リールに対応する前記リールモータの駆動を開始させ、当該回転リールの回転を再開させることで一時中断中の遊技を再開させるための遊技再開手段とを備えていることを特徴とするスロットマシン。
【請求項２】
請求項１に記載のスロットマシンであって、
前記遊技制御装置には、
前記役抽選手段の抽選結果を記憶するための抽選結果記憶手段を備え、
前記リール停止制御手段は、
前記遊技再開手段による遊技の再開後、前記抽選結果記憶手段に記憶された抽選結果、及び前記各ストップスイッチの操作にもとづいて、当該各ストップスイッチの操作に対応する前記各回転リールの停止制御を行うようにしていることを特徴とするスロットマシン。
【請求項３】
請求項１又は請求項２に記載のスロットマシンであって、
前記遊技一時中断手段は、
前記リール停止制御手段による前記回転リールの停止制御により、予め設定した所定図柄の組み合わせを前記表示窓に停止表示させるようにしていることを特徴とするスロットマシン。
【請求項４】
請求項３に記載のスロットマシンであって、
前記所定図柄の組み合わせは、再遊技図柄の組み合わせであることを特徴とするスロットマシン。
【請求項５】
請求項３又は請求項４に記載のスロットマシンであって、
前記所定図柄の組み合わせは、ボーナス図柄の組み合わせであることを特徴とするスロットマシン。
【請求項６】
請求項３〜５のいずれか１項に記載のスロットマシンであって、
前記遊技一時中断手段には、
前記複数個の回転リールのうち、既に停止している回転リールの停止図柄に、前記所定図柄が含まれていない場合に、当該一部の回転リールの停止位置を記憶するための停止位置記憶手段を備え、
前記遊技一時中断手段は、
前記離席検出手段により離席状態が検出されたことを条件に、既に停止している前記一部の回転リールを、再度、回転させた後、全ての回転リールを一時停止することで、前記所定図柄の組み合わせを前記表示窓に停止表示させるとともに、
前記遊技再開手段による遊技の再開後、前記停止位置記憶手段に記憶された停止位置にもとづいて、前記一部の回転リールを停止させるようにしていることを特徴とするスロットマシン。
【請求項７】
表示窓に臨むとともに、外周に複数種類の図柄を表示する複数個の回転リールと、
前記回転リールを個別に回転するための前記各回転リールに対応する複数個のリールモータと、
所定数の賭数設定を条件に、前記複数個のリールモータを駆動することで、前記複数個の回転リールの回転を開始させるためのスタートスイッチと、
前記各回転リールに対応するとともに、当該各回転リールの前記リールモータの駆動を停止させることで、当該回転リールの図柄を前記表示窓に停止表示可能な複数個のストップスイッチと、
前記複数個のリールモータ、前記スタートスイッチ、前記複数個のストップスイッチにそれぞれ接続され、遊技を制御するための遊技制御装置とを備え、
前記遊技制御装置には、
前記スタートスイッチの操作にもとづいて、役の当否を抽選により決定するための役抽選手段と、
前記役抽選手段の抽選結果、及び前記各ストップスイッチの操作にもとづいて、当該各ストップスイッチに対応する前記リールモータの駆動を制御することで、当該リールモータに対応する前記各回転リールの停止制御を行うためのリール停止制御手段とを備えるスロットマシンにおいて、
前記遊技制御装置には、
前記スロットマシンにおいて遊技を行っていた遊技者が、当該スロットマシンから離れた離席状態を検出するための離席検出手段と、
前記スロットマシンを離席した遊技者が、当該スロットマシンにおいて遊技を再開した遊技再開状態を検出するための遊技再開検出手段と、
前記回転リールの回転中に、前記離席検出手段により離席状態が検出されたことを条件に、当該回転中の前記回転リールに対応する前記リールモータを逆転させ、当該回転リールを逆転させることで遊技を一時中断させるための遊技一時中断手段と、
前記遊技一時中断手段による遊技の一時中断中に、前記遊技再開検出手段により遊技再開状態が検出されたことを条件に、逆転させていた前記回転リールに対応する前記リールモータを正転させ、当該回転リールを正転させることで一時中断中の遊技を再開させるための遊技再開手段とを備えていることを特徴とするスロットマシン。
【請求項８】
表示窓に臨むとともに、外周に複数種類の図柄を表示する複数個の回転リールと、
前記回転リールを個別に回転するための前記各回転リールに対応する複数個のリールモータと、
所定数の賭数設定を条件に、前記複数個のリールモータを駆動することで、前記複数個の回転リールの回転を開始させるためのスタートスイッチと、
前記各回転リールに対応するとともに、当該各回転リールの前記リールモータの駆動を停止させることで、当該回転リールの図柄を前記表示窓に停止表示可能な複数個のストップスイッチと、
前記複数個のリールモータ、前記スタートスイッチ、前記複数個のストップスイッチにそれぞれ接続され、遊技を制御するための遊技制御装置とを備え、
前記遊技制御装置には、
前記スタートスイッチの操作にもとづいて、役の当否を抽選により決定するための役抽選手段と、
前記役抽選手段の抽選結果、及び前記各ストップスイッチの操作にもとづいて、当該各ストップスイッチに対応する前記リールモータの駆動を制御することで、当該リールモータに対応する前記各回転リールの停止制御を行うためのリール停止制御手段とを備えるスロットマシンにおいて、
前記遊技制御装置には、
前記スロットマシンにおいて遊技を行っていた遊技者が、当該スロットマシンから離れた離席状態を検出するための離席検出手段と、
前記スロットマシンを離席した遊技者が、当該スロットマシンにおいて遊技を再開した遊技再開状態を検出するための遊技再開検出手段と、
前記回転リールの回転中に、前記離席検出手段により離席状態が検出されたことを条件に、当該回転中の前記回転リールに対応する前記リールモータの駆動を停止させ、当該回転リールに表示された前記図柄を、前記表示窓に表示された上下に隣接する２本のラインの中間に一時停止させることで遊技を一時中断させるための遊技一時中断手段と、
前記遊技一時中断手段による遊技の一時中断中に、前記遊技再開検出手段により遊技再開状態が検出されたことを条件に、前記一時停止していた前記回転リールに対応する前記リールモータの駆動を開始させ、当該回転リールの回転を再開させることで一時中断中の遊技を再開させるための遊技再開手段とを備えていることを特徴とするスロットマシン。
【請求項９】
請求項１〜８のいずれか１項に記載のスロットマシンであって、
前記離席検出手段は、
遊技者が操作可能な遊技一時中断スイッチから構成されていることを特徴とするスロットマシン。
【請求項１０】
請求項９に記載のスロットマシンであって、
前記遊技再開検出手段は、
前記遊技一時中断スイッチから構成され、
前記遊技一時中断スイッチは、
遊技者の１回目の操作により、離席状態の検出信号を遊技制御装置に出力し、
遊技者の２回目の操作により、遊技再開状態の検出信号を遊技制御装置に出力することを特徴とするスロットマシン。
【請求項１１】
請求項１０に記載のスロットマシンであって、
前記遊技再開手段には、
前記遊技一時中断スイッチからの離席状態の検出信号の入力を条件に、タイマーを始動し、予め設定された所定時間が経過後、遊技再開状態の検出信号を出力するための遊技一時中断状態自動解除手段を備えていることを特徴とするスロットマシン。
【請求項１２】
請求項１〜１１のいずれか１項に記載のスロットマシンであって、
前記スロットマシンには、
前記遊技一時中断手段による遊技の一時中断状態に移行したことを遊技者に報知するための遊技一時中断状態報知手段を備えていることを特徴とするスロットマシン。
【発明の詳細な説明】
【技術分野】
【０００１】
この発明は、スロットマシンに関し、回転リールの回転中に、遊技者がトイレ等により離席した際に、回転中の回転リールを一時停止させ、遊技者が遊技を再開後、一時停止中の回転リールを再始動させることができるようにしたものである。
【背景技術】
【０００２】
従来、自動停止時間が経過することでリールが自動停止したとき、すなわち遊技者が離席している可能性が高いときに、リール停止後に実行される演出を抑制することができるようにしたスロットマシンが知られている（例えば特許文献１の段落番号「００７２」〜「００７５」、図１０参照）。
【特許文献１】特開2005-80703号公報（段落番号「００７２」〜「００７５」、図１０）
【発明の開示】
【発明が解決しようとする課題】
【０００３】
しかし、上記した従来のスロットマシンは、回転リールの回転中に、遊技者がトイレ等により離席すると、回転リールが自動停止してしまい、遊技を再開できないという問題点があった。
さらに、最近では回転リールの自動停止機能が付加されていないスロットマシンが存在し、回転リールの回転中に離席してしまうと、モータに負荷がかかるとともに、周りの遊技者に迷惑をかけるという問題点もあった。
【０００４】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、次の点を目的とする。
すなわち、請求項１に記載の発明は、回転リールの回転中に、遊技者がトイレ等により離席した際に、回転中の回転リールを一時停止させ、遊技者が遊技を再開後、一時停止中の回転リールを再始動させることができるようにしたものである。
【０００５】
さらに、回転リールの自動停止機能が付加されていない従来のスロットマシンに対しては、回転中の回転リールを一時停止させることができるので、モータの負荷や発熱等の軽減、及び、周りの遊技者へ迷惑をかけないという利点がある。
（請求項２）
請求項２に記載の発明は、上記した請求項１に記載の発明の目的に加え、次の点を目的とする。
【０００６】
すなわち、請求項２に記載の発明は、回転リールの一時停止前の抽選結果にもとづいて、遊技の再開後、回転リールの停止制御を行うことができるようにしたものである。
その結果、遊技が一時中断されたことによって、当選していた役が消えてしまうという不都合の発生を解消できる。
（請求項３）
請求項３に記載の発明は、上記した請求項１又は請求項２に記載の発明の目的に加え、次の点を目的とする。
【０００７】
すなわち、請求項３に記載の発明は、回転リールの一時停止前時に、予め設定した所定図柄の組み合わせを停止表示させることができるようにしたものである。
（請求項４）
請求項４に記載の発明は、上記した請求項３に記載の発明の目的に加え、次の点を目的とする。
【０００８】
すなわち、請求項４に記載の発明は、所定図柄の組み合わせとして、再遊技図柄の組み合わせを停止表示させることができるようにしたものである。
その結果、遊技者が離席して戻ってきた際に、通常遊技と同じ感覚で遊技を再開させることができる。
（請求項５）
請求項５に記載の発明は、上記した請求項３又は請求項４に記載の発明の目的に加え、次の点を目的とする。
【０００９】
すなわち、請求項５に記載の発明は、所定図柄の組み合わせとして、ボーナス図柄の組み合わせを停止表示させることができるようにしたものである。
その結果、ボーナス図柄が揃っているため、他の遊技客が着席しようとしても、遊技中であることが容易にわかる。
（請求項６）
請求項６に記載の発明は、上記した請求項３〜５のいずれか１項に記載の発明の目的に加え、次の点を目的とする。
【００１０】
すなわち、請求項６に記載の発明は、複数個の回転リールのうち、一部が既に停止し、所定図柄の組み合わせを停止表示することができない場合に、既に停止した回転リールを再始動させた後、所定図柄の組み合わせを停止表示させることができるようにしたものである。
（請求項７）
請求項７に記載の発明は、次の点を目的とする。
【００１１】
すなわち、請求項７に記載の発明は、回転リールの回転中に、遊技者がトイレ等により離席した際に、回転中の回転リールを逆転させ、遊技者が遊技を再開後、逆転中の回転リールを正転させることができるようにしたものである。
（請求項８）
請求項８に記載の発明は、次の点を目的とする。
【００１２】
すなわち、請求項８に記載の発明は、回転リールの回転中に、遊技者がトイレ等により離席した際に、回転中の回転リールを上下に隣接するラインの中間に一時停止させ、遊技者が遊技を再開後、逆転中の回転リールを正転させることができるようにしたものである。
（請求項９）
請求項９に記載の発明は、上記した請求項１〜８のいずれか１項に記載の発明の目的に加え、次の点を目的とする。
【００１３】
すなわち、請求項９に記載の発明は、遊技者が遊技一時中断スイッチを操作することにより、遊技者の離席状態を入力することができるようにしたものである。
（請求項１０）
請求項１０に記載の発明は、上記した請求項９に記載の発明の目的に加え、次の点を目的とする。
【００１４】
すなわち、請求項１０に記載の発明は、遊技一時中断スイッチにより、遊技者の離席状態と、遊技の再開とを遊技者が入力することができるようにしたものである。
（請求項１１）
請求項１１に記載の発明は、上記した請求項１０に記載の発明の目的に加え、次の点を目的とする。
【００１５】
すなわち、請求項１１に記載の発明は、遊技一時中断状態を自動的に解除することができるようにしたものである。
（請求項１２）
請求項１２に記載の発明は、上記した請求項１〜１１のいずれか１項に記載の発明の目的に加え、次の点を目的とする。
【００１６】
すなわち、請求項１２に記載の発明は、遊技の一時中断状態に移行したことを遊技者に報知することができるようにしたものである。
【課題を解決するための手段】
【００１７】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１８】
第１に、スロットマシン(10)には、例えば図１〜２に示すように、次の構成を備える。
（１）回転リール(31〜33)
回転リール(31〜33)は、複数個、例えば３個有り、表示窓(20)に臨むとともに、外周に複数種類の図柄（ａ〜ｃ）を表示するものである。
なお、回転リール(31〜33)の個数として、３個を例示したが、これに限定されず、２個或いは４個以上でも良い。
【００１９】
（２）リールモータ(34〜36)
リールモータ(34〜36)は、複数個、例えば３個有り、回転リール(31〜33)を個別に回転するための各回転リール(31〜33)に対応するものである。
なお、リールモータ(34〜36)の個数として、３個を例示したが、これに限定されず、２個或いは４個以上でも良い。
【００２０】
（３）スタートスイッチ(70)
スタートスイッチ(70)は、所定数の賭数設定を条件に、複数個（例えば３個）のリールモータ(34〜36)を駆動することで、複数個（例えば３個）の回転リール(31〜33)の回転を開始させるためのものである。
なお、所定数の賭数設定を条件としては、例えばメダル投入口(50)からの遊技媒体（例えばメダル）の投入、クレジットを利用してのベットスイッチ(60〜62)の操作による賭数の設定、さらにカードの度数等が考えられるが、これらに限定されるものではない。
【００２１】
（４）ストップスイッチ(80〜82)
ストップスイッチ(80〜82)は、複数個、例えば３個有り、各回転リール(31〜33)に対応するとともに、当該各回転リール(31〜33)のリールモータ(34〜36)の駆動を停止させることで、当該回転リール(31〜33)の図柄（ａ〜ｃ）を表示窓(20)に停止表示可能なものである。
【００２２】
なお、ストップスイッチ(80〜82)の個数として、３個を例示したが、これに限定されず、２個或いは４個以上でも良い。
（５）遊技制御装置(200)
遊技制御装置(200)は、例えば図１に示すように、複数個（例えば３個）のリールモータ(34〜36)、スタートスイッチ(70)、複数個（例えば３個）のストップスイッチ(80〜82)にそれぞれ接続され、遊技を制御するためのものである。
【００２３】
第２に、遊技制御装置(200)には、例えば図１に示すように、次の構成を備える。
（６）役抽選手段(310)
役抽選手段(310)は、スタートスイッチ(70)の操作にもとづいて、役の当否を抽選により決定するためのものである。
（７）リール停止制御手段(320)
リール停止制御手段(320)は、役抽選手段(310)の抽選結果、及び各ストップスイッチ(80〜82)の操作にもとづいて、当該各ストップスイッチ(80〜82)に対応するリールモータ(34〜36)の駆動を制御することで、当該リールモータ(34〜36)に対応する各回転リール(31〜33)の停止制御を行うためのものである。
【００２４】
第３に、遊技制御装置(200)には、例えば図１に示すように、次の構成を備える。
（８）離席検出手段（例えば遊技一時中断スイッチ110）
離席検出手段（例えば遊技一時中断スイッチ110）は、スロットマシン(10)において遊技を行っていた遊技者が、当該スロットマシン(10)から離れた離席状態を検出するためのものである。
【００２５】
なお、離席検出手段として、遊技一時中断スイッチ(110)を例示したが、これに限定されない。
（９）遊技再開検出手段（例えば遊技一時中断スイッチ110）
遊技再開検出手段（例えば遊技一時中断スイッチ110）は、スロットマシン(10)を離席した遊技者が、当該スロットマシン(10)において遊技を再開した遊技再開状態を検出するためのものである。
【００２６】
なお、遊技再開検出手段として、遊技一時中断スイッチ(110)を例示したが、これに限定されない。
（１０）遊技一時中断手段(360)
遊技一時中断手段(360)は、回転リール(31〜33)の回転中に、離席検出手段（例えば遊技一時中断スイッチ110）により離席状態が検出されたことを条件に、当該回転中の回転リール(31〜33)に対応するリールモータ(34〜36)の駆動を停止させ、例えば図６に示すように、当該回転リール(31〜33)を一時停止させることで遊技を一時中断させるためのものである。
【００２７】
（１１）遊技再開手段(370)
遊技再開手段(370)は、遊技一時中断手段(360)による遊技の一時中断中に、遊技再開検出手段（例えば遊技一時中断スイッチ110）により遊技再開状態が検出されたことを条件に、一時停止させていた回転リール(31〜33)に対応するリールモータ(34〜36)の駆動を開始させ、当該回転リール(31〜33)の回転を再開させることで一時中断中の遊技を再開させるためのものである。
（請求項２）
請求項２に記載の発明は、上記した請求項１に記載の発明の特徴点に加え、次の点を特徴とする。
【００２８】
第１に、遊技制御装置(200)には、例えば図１に示すように、次の構成を備える。
（１）抽選結果記憶手段(380)
抽選結果記憶手段(380)は、役抽選手段(310)の抽選結果を記憶するためのものである。
第２に、リール停止制御手段(320)は、遊技再開手段(370)による遊技の再開後、抽選結果記憶手段(380)に記憶された抽選結果、及び各ストップスイッチ(80〜82)の操作にもとづいて、当該各ストップスイッチ(80〜82)の操作に対応する各回転リール(31〜33)の停止制御を行うようにしている。
（請求項３）
請求項３に記載の発明は、上記した請求項１又は請求項２に記載の発明の特徴点に加え、次の点を特徴とする。
【００２９】
すなわち、遊技一時中断手段(360)は、リール停止制御手段(320)による回転リール(31〜33)の停止制御により、予め設定した所定図柄（ａ〜ｃ）の組み合わせを表示窓(20)に停止表示させるようにしている。
（請求項４）
請求項４に記載の発明は、上記した請求項３に記載の発明の特徴点に加え、次の点を特徴とする。
【００３０】
すなわち、所定図柄の組み合わせは、例えば図６に示すように、再遊技図柄（ａ〜ｃ）の組み合わせである。
（請求項５）
請求項５に記載の発明は、上記した請求項３又は請求項４に記載の発明の特徴点に加え、次の点を特徴とする。
【００３１】
すなわち、所定図柄の組み合わせは、図示しないが、ボーナス図柄の組み合わせである。
（請求項６）
請求項６に記載の発明は、上記した請求項３〜５のいずれか１項に記載の発明の特徴点に加え、次の点を特徴とする。
【００３２】
第１に、遊技一時中断手段(360)には、例えば図１に示すように、次の構成を備える。
（１）停止位置記憶手段(390)
停止位置記憶手段(390)は、複数個（例えば３個）の回転リール(31〜33)のうち、既に停止している回転リール(31〜33)の停止図柄に、所定図柄（ａ〜ｃ）が含まれていない場合に、当該一部の回転リール(31〜33)の停止位置を記憶するためのものである。
【００３３】
第２に、遊技一時中断手段(360)は、離席検出手段（例えば遊技一時中断スイッチ110）により離席状態が検出されたことを条件に、既に停止している一部の回転リール(31〜33)を、再度、回転させた後、全ての回転リール(31〜33)を一時停止することで、所定図柄（ａ〜ｃ）の組み合わせを表示窓(20)に停止表示させるとともに、遊技再開手段(370)による遊技の再開後、停止位置記憶手段(390)に記憶された停止位置にもとづいて、一部の回転リール(31〜33)を停止させるようにしている。
（請求項７）
請求項７に記載の発明は、次の点を特徴とする。
【００３４】
第１に、スロットマシン(10)には、例えば図１〜２に示すように、次の構成を備える。
（１）回転リール(31〜33)
回転リール(31〜33)は、複数個、例えば３個有り、表示窓(20)に臨むとともに、外周に複数種類の図柄（ａ〜ｃ）を表示するものである。
なお、回転リール(31〜33)の個数として、３個を例示したが、これに限定されず、２個或いは４個以上でも良い。
【００３５】
（２）リールモータ(34〜36)
リールモータ(34〜36)は、複数個、例えば３個有り、回転リール(31〜33)を個別に回転するための各回転リール(31〜33)に対応するものである。
なお、リールモータ(34〜36)の個数として、３個を例示したが、これに限定されず、２個或いは４個以上でも良い。
【００３６】
（３）スタートスイッチ(70)
スタートスイッチ(70)は、所定数の賭数設定を条件に、複数個（例えば３個）のリールモータ(34〜36)を駆動することで、複数個（例えば３個）の回転リール(31〜33)の回転を開始させるためのものである。
なお、所定数の賭数設定を条件としては、例えばメダル投入口(50)からの遊技媒体（例えばメダル）の投入、クレジットを利用してのベットスイッチ(60〜62)の操作による賭数の設定、さらにカードの度数等が考えられるが、これらに限定されるものではない。
【００３７】
（４）ストップスイッチ(80〜82)
ストップスイッチ(80〜82)は、複数個、例えば３個有り、各回転リール(31〜33)に対応するとともに、当該各回転リール(31〜33)のリールモータ(34〜36)の駆動を停止させることで、当該回転リール(31〜33)の図柄（ａ〜ｃ）を表示窓(20)に停止表示可能なものである。
【００３８】
なお、ストップスイッチ(80〜82)の個数として、３個を例示したが、これに限定されず、２個或いは４個以上でも良い。
（５）遊技制御装置(200)
遊技制御装置(200)は、例えば図１に示すように、複数個（例えば３個）のリールモータ(34〜36)、スタートスイッチ(70)、複数個（例えば３個）のストップスイッチ(80〜82)にそれぞれ接続され、遊技を制御するためのものである。
【００３９】
第２に、遊技制御装置(200)には、例えば図１に示すように、次の構成を備える。
（６）役抽選手段(310)
役抽選手段(310)は、スタートスイッチ(70)の操作にもとづいて、役の当否を抽選により決定するためのものである。
（７）リール停止制御手段(320)
リール停止制御手段(320)は、役抽選手段(310)の抽選結果、及び各ストップスイッチ(80〜82)の操作にもとづいて、当該各ストップスイッチ(80〜82)に対応するリールモータ(34〜36)の駆動を制御することで、当該リールモータ(34〜36)に対応する各回転リール(31〜33)の停止制御を行うためのものである。
【００４０】
第３に、遊技制御装置(200)には、例えば図１に示すように、次の構成を備える。
（８）離席検出手段（例えば遊技一時中断スイッチ110）
離席検出手段（例えば遊技一時中断スイッチ110）は、スロットマシン(10)において遊技を行っていた遊技者が、当該スロットマシン(10)から離れた離席状態を検出するためのものである。
【００４１】
なお、離席検出手段として、遊技一時中断スイッチ(110)を例示したが、これに限定されない。
（９）遊技再開検出手段（例えば遊技一時中断スイッチ110）
遊技再開検出手段（例えば遊技一時中断スイッチ110）は、スロットマシン(10)を離席した遊技者が、当該スロットマシン(10)において遊技を再開した遊技再開状態を検出するためのものである。
【００４２】
なお、遊技再開検出手段として、遊技一時中断スイッチ(110)を例示したが、これに限定されない。
（１０）遊技一時中断手段(360)
遊技一時中断手段(360)は、回転リール(31〜33)の回転中に、離席検出手段（例えば遊技一時中断スイッチ110）により離席状態が検出されたことを条件に、当該回転中の回転リール(31〜33)に対応するリールモータ(34〜36)を逆転させ、例えば図７に示すように、当該回転リール(31〜33)を逆転させることで遊技を一時中断させるためのものである。
【００４３】
（１１）遊技再開手段(370)
遊技再開手段(370)は、遊技一時中断手段(360)による遊技の一時中断中に、遊技再開検出手段（例えば遊技一時中断スイッチ110）により遊技再開状態が検出されたことを条件に、逆転させていた回転リール(31〜33)に対応するリールモータ(34〜36)を正転させ、当該回転リール(31〜33)を正転させることで一時中断中の遊技を再開させるためのものである。
（請求項８）
請求項８に記載の発明は、上記した請求項１〜７のいずれか１項に記載の発明の特徴点に加え、次の点を特徴とする。
【００４４】
第１に、スロットマシン(10)には、例えば図１〜２に示すように、次の構成を備える。
（１）回転リール(31〜33)
回転リール(31〜33)は、複数個、例えば３個有り、表示窓(20)に臨むとともに、外周に複数種類の図柄（ａ〜ｃ）を表示するものである。
なお、回転リール(31〜33)の個数として、３個を例示したが、これに限定されず、２個或いは４個以上でも良い。
【００４５】
（２）リールモータ(34〜36)
リールモータ(34〜36)は、複数個、例えば３個有り、回転リール(31〜33)を個別に回転するための各回転リール(31〜33)に対応するものである。
なお、リールモータ(34〜36)の個数として、３個を例示したが、これに限定されず、２個或いは４個以上でも良い。
【００４６】
（３）スタートスイッチ(70)
スタートスイッチ(70)は、所定数の賭数設定を条件に、複数個（例えば３個）のリールモータ(34〜36)を駆動することで、複数個（例えば３個）の回転リール(31〜33)の回転を開始させるためのものである。
なお、所定数の賭数設定を条件としては、例えばメダル投入口(50)からの遊技媒体（例えばメダル）の投入、クレジットを利用してのベットスイッチ(60〜62)の操作による賭数の設定、さらにカードの度数等が考えられるが、これらに限定されるものではない。
【００４７】
（４）ストップスイッチ(80〜82)
ストップスイッチ(80〜82)は、複数個、例えば３個有り、各回転リール(31〜33)に対応するとともに、当該各回転リール(31〜33)のリールモータ(34〜36)の駆動を停止させることで、当該回転リール(31〜33)の図柄（ａ〜ｃ）を表示窓(20)に停止表示可能なものである。
【００４８】
なお、ストップスイッチ(80〜82)の個数として、３個を例示したが、これに限定されず、２個或いは４個以上でも良い。
（５）遊技制御装置(200)
遊技制御装置(200)は、例えば図１に示すように、複数個（例えば３個）のリールモータ(34〜36)、スタートスイッチ(70)、複数個（例えば３個）のストップスイッチ(80〜82)にそれぞれ接続され、遊技を制御するためのものである。
【００４９】
第２に、遊技制御装置(200)には、例えば図１に示すように、次の構成を備える。
（６）役抽選手段(310)
役抽選手段(310)は、スタートスイッチ(70)の操作にもとづいて、役の当否を抽選により決定するためのものである。
（７）リール停止制御手段(320)
リール停止制御手段(320)は、役抽選手段(310)の抽選結果、及び各ストップスイッチ(80〜82)の操作にもとづいて、当該各ストップスイッチ(80〜82)に対応するリールモータ(34〜36)の駆動を制御することで、当該リールモータ(34〜36)に対応する各回転リール(31〜33)の停止制御を行うためのものである。
【００５０】
第３に、遊技制御装置(200)には、例えば図１に示すように、次の構成を備える。
（８）離席検出手段（例えば遊技一時中断スイッチ110）
離席検出手段（例えば遊技一時中断スイッチ110）は、スロットマシン(10)において遊技を行っていた遊技者が、当該スロットマシン(10)から離れた離席状態を検出するためのものである。
【００５１】
なお、離席検出手段として、遊技一時中断スイッチ(110)を例示したが、これに限定されない。
（９）遊技再開検出手段（例えば遊技一時中断スイッチ110）
遊技再開検出手段（例えば遊技一時中断スイッチ110）は、スロットマシン(10)を離席した遊技者が、当該スロットマシン(10)において遊技を再開した遊技再開状態を検出するためのものである。
【００５２】
なお、遊技再開検出手段として、遊技一時中断スイッチ(110)を例示したが、これに限定されない。
（１０）遊技一時中断手段(360)
遊技一時中断手段(360)は、回転リール(31〜33)の回転中に、離席検出手段（例えば遊技一時中断スイッチ110）により離席状態が検出されたことを条件に、当該回転中の回転リール(31〜33)に対応するリールモータ(34〜36)の駆動を停止させ、例えば図８に示すように、当該回転リール(31〜33)に表示された図柄（ａ〜ｃ）を、表示窓(20)に表示された上下に隣接する２本のライン(21〜25)の中間に一時停止させることで遊技を一時中断させるためのものである。
【００５３】
（１１）遊技再開手段(370)
遊技再開手段(370)は、遊技一時中断手段(360)による遊技の一時中断中に、遊技再開検出手段（例えば遊技一時中断スイッチ110）により遊技再開状態が検出されたことを条件に、一時停止していた回転リール(31〜33)に対応するリールモータ(34〜36)の駆動を開始させ、当該回転リール(31〜33)の回転を再開させることで一時中断中の遊技を再開させるためのものである。
（請求項９）
請求項９に記載の発明は、上記した請求項１〜８のいずれか１項に記載の発明の特徴点に加え、次の点を特徴とする。
【００５４】
すなわち、離席検出手段は、遊技者が操作可能な遊技一時中断スイッチ(110)から構成されている。
（請求項１０）
請求項１０に記載の発明は、上記した請求項９に記載の発明の特徴点に加え、次の点を特徴とする。
【００５５】
第１に、遊技再開検出手段は、遊技一時中断スイッチ(110)から構成されている。
第２に、遊技一時中断スイッチ(110)は、遊技者の１回目の操作により、離席状態の検出信号を遊技制御装置(200)に出力し、遊技者の２回目の操作により、遊技再開状態の検出信号を遊技制御装置(200)に出力する。
（請求項１１）
請求項１１に記載の発明は、上記した請求項１０に記載の発明の特徴点に加え、次の点を特徴とする。
【００５６】
すなわち、遊技再開手段(370)には、例えば図１に示すように、次の構成を備える。
（１）遊技一時中断状態自動解除手段(371)
遊技一時中断状態自動解除手段(371)は、遊技一時中断スイッチ(110)からの離席状態の検出信号の入力を条件に、タイマーを始動し、予め設定された所定時間（例えば１５分）が経過後、遊技再開状態の検出信号を出力するためのものである。
【００５７】
なお、所定時間として、トイレ休憩の１５分を例示したが、これに限定されず、例えば食事休憩の場合には４５分程度を設定しても良い。
（請求項１２）
請求項１２に記載の発明は、上記した請求項１〜１１のいずれか１項に記載の発明の特徴点に加え、次の点を特徴とする。
【００５８】
すなわち、スロットマシン(10)には、例えば図１に示すように、次の構成を備える。
（１）遊技一時中断状態報知手段（例えば画像表示装置40）
遊技一時中断状態報知手段（例えば画像表示装置40）は、遊技一時中断手段(360)による遊技の一時中断状態に移行したことを遊技者に報知するためのものである。
遊技一時中断状態報知手段として、画像表示装置(40)を例示したが、これに限定されず、ランプを点灯させたり、内部の照明を逆に消灯させたり、或いは音声を発生させたり、或いは消音することで報知するようにしても良い。
【発明の効果】
【００５９】
本発明は、以上のように構成されているので、以下に記載されるような効果を奏する。
（請求項１）
請求項１に記載の発明によれば、次のような効果を奏する。
すなわち、請求項１に記載の発明によれば、回転リールの回転中に、遊技者がトイレ等により離席した際に、回転中の回転リールを一時停止させ、遊技者が遊技を再開後、一時停止中の回転リールを再始動させることができる。
【００６０】
さらに、回転リールの自動停止機能が付加されていない従来のスロットマシンに対しては、回転中の回転リールを一時停止させることができるので、モータの負荷や発熱等の軽減、及び、周りの遊技者へ迷惑をかけないという利点がある。
（請求項２）
請求項２に記載の発明によれば、上記した請求項１に記載の発明の効果に加え、次のような効果を奏する。
【００６１】
すなわち、請求項２に記載の発明によれば、回転リールの一時停止前の抽選結果にもとづいて、遊技の再開後、回転リールの停止制御を行うことができる。
その結果、遊技が一時中断されたことによって、当選していた役が消えてしまうという不都合の発生を解消できる。
（請求項３）
請求項３に記載の発明によれば、上記した請求項１又は請求項２に記載の発明の効果に加え、次のような効果を奏する。
【００６２】
すなわち、請求項３に記載の発明によれば、回転リールの一時停止前時に、予め設定した所定図柄の組み合わせを停止表示させることができる。
（請求項４）
請求項４に記載の発明によれば、上記した請求項３に記載の発明の効果に加え、次のような効果を奏する。
【００６３】
すなわち、請求項４に記載の発明によれば、所定図柄の組み合わせとして、再遊技図柄の組み合わせを停止表示させることができる。
その結果、遊技者が離席して戻ってきた際に、通常遊技と同じ感覚で遊技を再開させることができる。
（請求項５）
請求項５に記載の発明によれば、上記した請求項３又は請求項４に記載の発明の効果に加え、次のような効果を奏する。
【００６４】
すなわち、請求項５に記載の発明によれば、所定図柄の組み合わせとして、ボーナス図柄の組み合わせを停止表示させることができる。
その結果、ボーナス図柄が揃っているため、他の遊技客が着席しようとしても、遊技中であることが容易にわかる。
（請求項６）
請求項６に記載の発明によれば、上記した請求項３〜５のいずれか１項に記載の発明の効果に加え、次のような効果を奏する。
【００６５】
すなわち、請求項６に記載の発明によれば、複数個の回転リールのうち、一部が既に停止し、所定図柄の組み合わせを停止表示することができない場合に、既に停止した回転リールを再始動させた後、所定図柄の組み合わせを停止表示させることができる。
（請求項７）
請求項７に記載の発明によれば、次のような効果を奏する。
【００６６】
すなわち、請求項７に記載の発明によれば、回転リールの回転中に、遊技者がトイレ等により離席した際に、回転中の回転リールを逆転させ、遊技者が遊技を再開後、逆転中の回転リールを正転させることができる。
（請求項８）
請求項８に記載の発明によれば、次のような効果を奏する。
【００６７】
すなわち、請求項８に記載の発明によれば、回転リールの回転中に、遊技者がトイレ等により離席した際に、回転中の回転リールを上下に隣接するラインの中間に一時停止させ、遊技者が遊技を再開後、逆転中の回転リールを正転させることができる。
（請求項９）
請求項９に記載の発明によれば、上記した請求項１〜８のいずれか１項に記載の発明の効果に加え、次のような効果を奏する。
【００６８】
すなわち、請求項９に記載の発明によれば、遊技者が遊技一時中断スイッチを操作することにより、遊技者の離席状態を入力することができる。
（請求項１０）
請求項１０に記載の発明によれば、上記した請求項９に記載の発明の効果に加え、次のような効果を奏する。
【００６９】
すなわち、請求項１０に記載の発明によれば、遊技一時中断スイッチにより、遊技者の離席状態と、遊技の再開とを遊技者が入力することができる。
（請求項１１）
請求項１１に記載の発明によれば、上記した請求項１０に記載の発明の効果に加え、次のような効果を奏する。
【００７０】
すなわち、請求項１１に記載の発明によれば、遊技一時中断状態を自動的に解除することができる。
（請求項１２）
請求項１２に記載の発明によれば、上記した請求項１〜１１のいずれか１項に記載の発明の効果に加え、次のような効果を奏する。
【００７１】
すなわち、請求項１２に記載の発明によれば、遊技の一時中断状態に移行したことを遊技者に報知することができる。
【発明を実施するための最良の形態】
【００７２】
（図面の説明）
図１〜６は、本発明の第１の実施の形態の一例をそれぞれ示すものである。
図１は、スロットマシンの動作を説明するための概略ブロック図、図２はスロットマシンの概略正面図、図３〜４は回転リールの一時停止処理を説明するためのフローチャート、図５〜６は表示窓に表示される回転リールの回転・一時停止状態を説明するための説明図をそれぞれ示すものである。
【００７３】
図７は、本発明の第２の実施の形態の一例を示し、同図は図５に対応し、回転リールの逆転状態を説明するための説明図である。
図８は、本発明の第３の実施の形態の一例を示し、同図は図６に対応し、回転リールの一時停止状態を説明するための説明図である。
（スロットマシン10）
図２中、10は、スロットマシンを示すものである。
【００７４】
スロットマシン10の高さの中央には、透明な方形の表示窓20を設けている。
表示窓20の内部には、リールユニット30を配置している。
リールユニット30は、表示窓20に臨む複数個、例えば３個の回転リール31〜33と、各回転リール31〜33を個々に回転可能な、複数個、例えば３個の回転リール31〜33と同数の３個のリールモータ34〜36（図１参照）とを備える。
【００７５】
なお、回転リール31〜33及びリールモータ34〜36の個数は、３個に限定されず、２個、或いは４個以上でも良い。
各回転リール31〜33には、図６に示すように、外周に複数種類の図柄ａ〜ｃが表示されている。また、表示窓20には、複数段、例えば上・中・下段の計３個の図柄ａ〜ｃが停止表示されるようにしているが、これに限定されず、１個の図柄ａ〜ｃが停止表示されるようにして良い。
【００７６】
表示窓20の上方の中央には、遊技一時中断状態報知手段の一例である画像表示装置40を設けている。
画像表示装置40は、画像を表示可能なものであり、例えば液晶ユニットから構成されている。
なお、遊技一時中断状態報知手段として、画像表示装置40を例示したが、これに限定されず、ランプを点灯させたり、内部の照明を逆に消灯させたり、或いは音声を発生させたり、或いは消音することで報知するようにしても良い。また、画像表示装置40として、液晶ユニットを例示したが、これに限定されず、例えばドット・マトリックス等から構成しても良い。
【００７７】
表示窓20の下側には、図２の向かって右側に、メダル投入口50を設けている。メダル投入口50は、メダルを投入するためのものである。
メダル投入口50の図２の向かって左側には、複数個、例えば３個のベットスイッチ60〜62を設けている。３個のベットスイッチ60〜62のうち、図２の向かって左側のＭＡＸベットスイッチ60は、最大投入枚数、例えば３枚のクレジットメダルをスロットマシン10の内部に投入するためのものである。残る２個のベットスイッチ61〜62のうち、スロットマシン10の手前側に位置する２ベットスイッチ61は、２枚のクレジットメダルをスロットマシン10の内部に投入するためのものである。残るスロットマシン10の奥側に位置する１ベットスイッチ62は、１枚のクレジットメダルをスロットマシン10の内部に投入するためのものである。
【００７８】
なお、ベットスイッチ60〜62の個数は、３個に限定されず、単数としても良いし、２個、或いは４個以上としても良い。
３個のベットスイッチ60〜62の下側には、スタートスイッチ70を設けている。
スタートスイッチ70は、所定数の賭数設定を条件に、３個のリールモータ34〜36を駆動することで、３個の回転リール31〜33の回転を開始させるためのものである。
【００７９】
なお、所定数の賭数設定を条件としては、メダル投入口50からのメダルの投入、後述するが、クレジットを利用してのベットスイッチ60〜62の操作による賭数の設定、さらにカードの度数等が考えられるが、これらに限定されるものではない。
具体的には、スタートスイッチ70は、レバー状に形成され、レバーを傾けることで操作する。スタートスイッチ70を操作すると、リールユニット30の駆動が開始され、３個のリールモータ34〜36（図１参照）が回転する。
【００８０】
スタートスイッチ70の向かって右隣には、複数個、例えば３個の回転リール31〜33と同数の３個のストップスイッチ80〜82を設けている。
３個のストップスイッチ80〜82は、リールユニット30の駆動を停止するためのものである。向かって左側のストップスイッチ80を操作すると、左側の回転リール31の回転が停止する。同様に、中央のストップスイッチ81を操作すると、中央の回転リール32の回転が停止する。右側のストップスイッチ82を操作すると、右側の回転リール33の回転が停止する。
【００８１】
なお、ストップスイッチ80〜82は、３個に限定されず、回転リール31〜33やリールモータ34〜36の個数と等しければ良い。
３個のストップスイッチ80〜82の下側には、メダル貯留皿90を設けている。
メダル貯留皿90には、後述する図１のホッパーユニット120から払い出されたメダルが貯留される。
【００８２】
メダル貯留皿90の右側には、１個のスピーカ100が配置されている。スピーカ100からは、各種の効果音が発生される。
また、メダル投入口50の図２の向かって左隣りには、遊技一時中断スイッチ110を設けている。
遊技一時中断スイッチ110は、遊技者の１回目の操作により、離席状態の検出信号を、後述する図１の遊技制御装置200に出力し、後述するが、離席検出手段として機能する。
【００８３】
また、遊技一時中断スイッチ110は、遊技者の２回目の操作により、遊技再開状態の検出信号を遊技制御装置200に出力し、後述するが、遊技再開検出手段として機能する。
なお、離席検出手段は、スロットマシン10において遊技を行っていた遊技者が、当該スロットマシン10から離れた離席状態を検出するためのものであり、遊技一時中断スイッチ110に限定されない。
【００８４】
また、遊技再開検出手段は、スロットマシン10を離席した遊技者が、当該スロットマシン10において遊技を再開した遊技再開状態を検出するためのものであり、遊技一時中断スイッチ110に限定されない。
（遊技制御装置200）
つぎに、図１を用いて、遊技制御装置200について説明する。
【００８５】
遊技制御装置200は、スロットマシン10の内部に設けられ、遊技の進行を制御するためのものである。
具体的には、遊技制御装置200は、大別すると、次の２つの手段を備える。
なお、次の（１）〜（２）の手段の説明については、後述する。
（１）遊技用制御手段300
（２）演出用制御手段400
なお、遊技制御装置200の手段は、上記した（１）〜（２）に限定されない。
（遊技用制御手段300）
つぎに、図１を用いて、遊技用制御手段300について説明する。
【００８６】
遊技用制御手段300は、遊技の進行を制御するためのものである。
具体的には、遊技用制御手段300は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００８７】
遊技用制御手段300のＣＰＵ（図示せず）は、記録媒体、例えばＲＯＭに記録されたプログラムを読み込むことで、図１に示すように、次の手段として機能する。
なお、次の（１）〜（９）の手段の説明については、後述する。
（１）役抽選手段310
（２）リール停止制御手段320
（３）一般遊技制御手段330
（４）特別遊技制御手段340
（５）利益付与手段350
（６）遊技一時中断手段360
（７）遊技再開手段370
（８）抽選結果記憶手段380
（９）停止位置記憶手段390
なお、遊技用制御手段300の手段は、上記した（１）〜（９）に限定されない。
（遊技用制御手段300の入力段）
つぎに、図１を用いて、遊技用制御手段300の入力段について説明する。
【００８８】
遊技用制御手段300の入力段には、次のパーツがそれぞれ接続されている。
なお、遊技用制御手段300の入力段に接続されるパーツは、次の（１）〜（５）に限定されない。
（１）メダルセンサー51
メダルセンサー51は、メダル投入口50の内部に設けられ、メダル投入口50に投入されたメダルを検出するためのものである。
【００８９】
（２）ベットスイッチ60〜62
（３）スタートスイッチ70
（４）ストップスイッチ80〜82
（５）遊技一時中断スイッチ110（離席検出手段、遊技再開検出手段）
（遊技用制御手段300の出力段）
つぎに、図１を用いて、遊技用制御手段300の出力段について説明する。
【００９０】
遊技用制御手段300の出力段には、次のパーツがそれぞれ接続されている。
なお、遊技用制御手段300の出力段に接続されるパーツは、次の（１）〜（３）に限定されない。
（１）リールモータ34〜36
（２）ホッパーユニット120
ホッパーユニット120は、スロットマシン10の内部に設けられている。
【００９１】
ホッパーユニット120は、表示窓20に停止表示された回転リール31〜33の図柄ａ〜ｃが、予め設定された図柄ａ〜ｃの組み合わせに一致する場合に、遊技者に所定枚数のメダルを払い出すためのものである。
（３）演出用制御手段400
（演出用制御手段400）
演出用制御手段400は、遊技用制御手段300に接続され、遊技用制御手段300から一方向に送信される信号、例えばコマンドやデータ等にもとづいて、各種の演出を制御するためのものである。
【００９２】
具体的には、演出用制御手段400は、コンピュータであって、図示しないが、例えばＣＰＵを中心に構成され、ＲＯＭやＲＡＭ等の記録媒体、Ｉ／Ｏ等を備えている。
なお、演出用制御手段400のＣＰＵの数は、１個に限定されず、２個以上のＣＰＵを用いても良い。
また、記録媒体は、ＲＯＭやＲＡＭに限定されず、そのほか電気的・磁気的・光学的なメモリーやディスク等でも良い。
【００９３】
上記演出用制御手段400のＣＰＵ（図示せず）は、記録媒体、例えばＲＯＭに記録されたプログラムを読み込むことで、図１に示すように、大別すると、次の手段として機能する。
なお、次の（１）〜（３）の手段の説明については、後述する。
（１）演出抽選手段410
（２）画像制御手段420
（３）効果音発生手段430
なお、演出用制御手段400の手段は、上記した（１）〜（３）に限定されない。
（演出用制御手段400の入力段）
つぎに、図１を用いて、演出用制御手段400の入力段について説明する。
【００９４】
演出用制御手段400の入力段には、次のパーツが接続されている。
（１）遊技用制御手段300
なお、演出用制御手段400の入力段に接続されるパーツは、上記した（１）に限定されない。
（演出用制御手段400の出力段）
つぎに、図１を用いて、演出用制御手段400の出力段について説明する。
【００９５】
演出用制御手段400の出力段には、次のパーツがそれぞれ接続されている。
（１）画像表示装置40（遊技一時中断状態報知手段）
（２）スピーカ100
なお、演出用制御手段400の出力段に接続されるパーツは、上記した（１）〜（２）に限定されない。
（役抽選手段310）
役抽選手段310は、図１及び図６に示すように、役抽選テーブル311を用いて、役の当否を抽選により決定するものである。
【００９６】
なお、役抽選テーブル311については、後述する。
まず、役の当否には、次の種類がある。
（１）役の当選
（２）ハズレ
役には、図６に示すように、次の種類がある。
【００９７】
なお、次の（３）〜（５）の役の説明については、後述する。
また、役は、役のうち１個だけ当選する場合のほか、複数の役が同時に２以上、当選する場合もあり、役抽選手段310はいわゆるグループ抽選が可能となっている。
（３）小役
（４）再遊技（リプレイ）
（５）特別遊技（ボーナス）
なお、役の種類は、上記した（３）〜（５）に限定されない。
（小役）
小役は、図示しないが、例えば「ベル」や「スイカ」などの予め設定された小役図柄が、図５〜６の用いて後述するが、メダルを投入することで有効となったライン21〜25（以下、「有効ライン」という。）上に１個や２個出現したり、或いは３個揃うことで入賞となり、所定枚数のメダルを払い出すための役である。
（再遊技）
再遊技は、いわゆるリプレイとも呼ばれ、図６に示すように、予め設定された再遊技図柄ａ〜ｃ（リプレイ図柄）が有効ライン上に３個揃うことを条件に、メダルを投入すること無しに次回の遊技を行えるという役である。
（ボーナス）
ボーナスは、特別遊技の一例である。
【００９８】
特別遊技は、一般遊技より遊技者に有利な遊技である。
なお、特別遊技として、ボーナスを例示したが、これに限定されない。
ボーナスは、図６に示すように、次の種類がある。
なお、ボーナスの種類は、次の（１）〜（３）に限定されない。
（１）ＢＩＧ大当り
ＢＩＧ大当りは、いわゆるビッグ・ボーナス（以下、「ＢＢ」という。）への移行役である。
【００９９】
すなわち、図示しないが、ＢＢ図柄が有効ライン上に３個揃うことで入賞となり、後述する図１の一般遊技制御手段330による一般遊技から、後述する特別遊技制御手段340による特別遊技であるＢＢへ移行させるための役である。
なお、ＢＢ図柄の入賞時に、メダルを払い出さなくとも良いし、或いはメダルを１枚払い出すようにしても良い。
【０１００】
ＢＢの開始後、遊技者がメダルを３枚投入すると仮定すると、トータルで約２８８枚のメダルが獲得可能であり、例えば３４５枚を超える払い出しで終了する。
（２）ＭＩＤ大当り
ＭＩＤ大当りは、いわゆるミドル・ボーナス（以下、「ＭＩＤ」という。）への移行役である。
【０１０１】
図示しないが、ＭＩＤ図柄が有効ライン上に３個揃うことで入賞となり、後述する図１の一般遊技制御手段330による一般遊技から、後述する特別遊技制御手段340による特別遊技であるＭＩＤへ移行させるための役である。
なお、ＭＩＤ図柄の入賞時に、メダルを払い出さなくとも良いし、或いはメダルを１枚払い出すようにしても良い。
【０１０２】
ＭＩＤの開始後、遊技者がメダルを３枚投入すると仮定すると、トータルで約１９２枚のメダルが獲得可能であり、例えば２５３枚を超える払い出しで終了する。なお、ＭＩＤは、ＢＢに比較して、遊技者が獲得できるメダルの枚数が低く設定されている。
（３）ＲＥＧ大当り
ＲＥＧ大当りは、いわゆるレギュラー・ボーナス（以下、「ＲＥＧ」という。）への移行役である。
【０１０３】
ＲＥＧの開始後、遊技者がメダルを３枚投入すると仮定すると、トータルで約９６枚のメダルが獲得可能である。ＲＥＧは、最高１２回のゲームか、８回の入賞か、いずれか先に達成された条件により終了する。なお、ＲＥＧは、ＭＩＤに比較して、遊技者が獲得できるメダルの枚数が低く設定されている。
（リール停止制御手段320）
リール停止制御手段320は、役抽選手段310による抽選により決定した遊技結果、及びストップスイッチ80〜82の操作にもとづいて、当該ストップスイッチ80〜82に対応するリールモータ34〜36の停止制御を行うためのものである。
【０１０４】
また、リール停止制御手段320は、後述するが、遊技再開手段370による遊技の再開後、抽選結果記憶手段380に記憶された抽選結果、及び各ストップスイッチ80〜82の操作にもとづいて、当該各ストップスイッチ80〜82の操作に対応する各回転リール31〜33の停止制御を行うようにしている。
（一般遊技制御手段330）
一般遊技制御手段330は、一般遊技を行わせるためのものである。
（特別遊技制御手段340）
特別遊技制御手段340は、一般遊技より遊技者に有利な特別遊技、例えば各種のボーナスを行わせるためのものである。
（利益付与手段350）
利益付与手段350は、小役等が入賞した場合に、予め設定された所定の枚数のメダルを払い出すためのものである。
【０１０５】
メダルの払い出しは、ホッパーユニット120を駆動させることにより、メダルを実際に払い出しても良いし、或いはクレジットメダル枚数を増加させるようにしても良い。
（遊技一時中断手段360）
遊技一時中断手段360は、回転リール31〜33の回転中に、遊技一時中断スイッチ110（離席検出手段）により離席状態が検出されたことを条件に、当該回転中の回転リール31〜33に対応するリールモータ34〜36の駆動を停止させ、図６に示すように、当該回転リール31〜33を一時停止させることで遊技を一時中断させるためのものである。
【０１０６】
具体的には、遊技一時中断手段360は、リール停止制御手段320による回転リール31〜33の停止制御により、予め設定した所定図柄ａ〜ｃの組み合わせを表示窓20に停止表示させるようにしている。
所定図柄の組み合わせとして、図６に例示するように、例えば再遊技図柄ａ〜ｃの組み合わせを有効ライン上に停止表示させるようにしている。
【０１０７】
なお、所定図柄の組み合わせとして、再遊技図柄ａ〜ｃの組み合わせを例示したが、これに限定されず、例えばボーナス図柄等の組み合わせを有効ライン上に停止表示させるようにしても良い。
また、遊技一時中断手段360は、遊技一時中断スイッチ110（離席検出手段）により離席状態が検出されたことを条件に、既に停止している一部の回転リール31〜33を、再度、回転させた後、全ての回転リール31〜33を一時停止することで、所定図柄ａ〜ｃの組み合わせを表示窓20に停止表示させるとともに、遊技再開手段370による遊技の再開後、停止位置記憶手段390に記憶された停止位置にもとづいて、一部の回転リール31〜33を停止させるようにしている。
（遊技再開手段370）
遊技再開手段370は、遊技一時中断手段360による遊技の一時中断中に、遊技一時中断スイッチ110（遊技再開検出手段）により遊技再開状態が検出されたことを条件に、一時停止させていた回転リール31〜33に対応するリールモータ34〜36の駆動を開始させ、当該回転リール31〜33の回転を再開させることで一時中断中の遊技を再開させるためのものである。
【０１０８】
具体的には、遊技再開手段370には、次の手段を備える。
なお、遊技再開手段370の手段は、次の（１）に限定されない。
（１）遊技一時中断状態自動解除手段371
遊技一時中断状態自動解除手段371は、遊技一時中断スイッチ110からの離席状態の検出信号の入力を条件に、タイマーを始動し、予め設定された所定時間、例えば１５分が経過後、遊技再開状態の検出信号を出力するためのものである。
【０１０９】
なお、所定時間として、トイレ休憩の１５分を例示したが、これに限定されず、例えば食事休憩の場合には４５分程度を設定しても良い。
（抽選結果記憶手段380）
抽選結果記憶手段380は、役抽選手段310の抽選結果を記憶するためのものである。
具体的には、抽選結果記憶手段380は、役抽選手段310による抽選後、遊技一時中断手段360による遊技の一時中断前の間に、抽選結果を記憶すれば良く、役抽選手段310による抽選の直後に記憶しても良いし、或いは遊技一時中断スイッチ110（離席検出手段）の操作時に、抽選結果を記憶するようにしても良い。
（停止位置記憶手段390）
停止位置記憶手段390は、複数個（例えば３個）の回転リール31〜33のうち、既に停止している回転リール31〜33の停止図柄に、所定図柄ａ〜ｃが含まれていない場合に、当該一部の回転リール31〜33の停止位置を記憶するためのものである。
（演出抽選手段410）
演出抽選手段410は、信号受信手段410が受信した抽選結果信号にもとづいて、演出抽選、例えばＡＴの開始の当否の抽選を行うためのものである。
（画像制御手段420）
画像制御手段420は、演出抽選手段410の演出抽選の結果にもとづいて、各種の演出画像を画像表示装置40（遊技一時中断状態報知手段）に表示させるためのものである。
【０１１０】
また、画像制御手段420は、遊技一時中断手段360による遊技の一時中断状態に移行したことを、図示しないが、画像表示装置40（遊技一時中断状態報知手段）により遊技者に報知するようにしている。
（効果音発生手段430）
効果音発生手段430は、遊技の進行に従って各種の効果音を、スピーカ100から出力させるためのものである。
（図５〜６の説明）
つぎに、図５〜６について説明する。
【０１１１】
図５は、表示窓20に表示される回転リール31〜33の回転状態を説明するものである。
表示窓20には、図５に示すように、図柄ａ〜ｃの停止位置を示す計５本のライン21〜25が表示され、これらのライン21〜25はメダルを投入することで有効となる。
また、図６は、表示窓20に表示される回転リール31〜33の一時停止状態を説明するためのものであり、中央の有効ライン上に、再遊技図柄ａ〜ｃ（リプレイ図柄）が有効ライン上に３個揃って一時停止している。
（図３〜４のフローチャートの説明）
つぎに、図３〜５に例示したフローチャートを用いて、回転リール31〜33の一時停止処理について説明する。
（図３のフローチャートの説明）
まず、図３に示すように、ステップS10に進み、３個の全ての回転リール31〜33が回転中か否かが判定される。
【０１１２】
上記判定は、図１の遊技用制御手段300のリール停止制御手段320により行う。
上記判定の結果、３個の全ての回転リール31〜33が回転中の場合には、図３に示すように、ステップS10からステップS11に進み、遊技者が遊技一時中断スイッチ110を押すことで、当該遊技一時中断スイッチ110がＯＮ（オン）となったか否かが判定される。
上記判定は、図１の遊技一時中断手段360により行う。
【０１１３】
上記判定の結果、遊技一時中断スイッチ110がＯＮ（オン）の場合には、図３に示すように、ステップS11からステップS12に進み、引き込み可能な図柄、図６に示すように、例えば再遊技図柄ａ〜ｃ（リプレイ図柄）を一時停止する。
上記一時停止は、図１の遊技一時中断手段360により行う。
上記記一時停止後、図３に示すように、ステップS12からステップS13に進み、遊技者が遊技一時中断スイッチ110を再度、押すことで、当該遊技一時中断スイッチ110がＯＦＦ（オフ）となったか否かが判定される。
【０１１４】
上記判定は、図１の遊技再開手段370により行う。
上記判定の結果、遊技一時中断スイッチ110がＯＦＦ（オフ）とならない場合には、図３に示すように、当該ステップS13を繰り返す。
これに対し、遊技一時中断スイッチ110がＯＦＦ（オフ）となった場合には、図３に示すように、ステップS13からステップS14に進み、３個の全ての回転リール31〜33を再始動する。
【０１１５】
上記再始動は、図１の遊技再開手段370により行う。
上記再始動後、図３の回転リール31〜33の一時停止処理を終了する。図示しないが、再始動後、ストップスイッチ80〜82が操作されると、図１のリール停止制御手段320は、抽選結果記憶手段380に記憶された抽選結果、及び当該各ストップスイッチ80〜82の操作に対応する各回転リール31〜33の停止制御を行う。
【０１１６】
一方、前述したステップS11において、遊技一時中断スイッチ110がＯＮ（オン）とならない場合、すなわち、遊技者により遊技一時中断スイッチ110を押されなかった場合には、図３の回転リール31〜33の一時停止処理を終了する。
また、前述したステップS10において、３個の全ての回転リール31〜33が回転中でない場合には、図３に示すように、次のステップS20に進み、３個の回転リール31〜33のうち、１番目（最初）に操作したストップスイッチ80〜82に対応する回転リール31〜33（以下、「第１リール」という。）のみが停止しているか否かが判定される。
【０１１７】
上記判定は、図１の遊技再開手段370により行う。
上記判定の結果、第１リールのみが停止している場合には、図３に示すように、ステップS20から次のステップS21に進み、遊技一時中断スイッチ110がＯＮ（オン）となったか否かが判定される。
上記判定は、図１の遊技一時中断手段360により行う。
【０１１８】
上記判定の結果、遊技一時中断スイッチ110がＯＮ（オン）の場合には、図３に示すように、ステップS21から次のステップS22に進み、第１リールの停止図柄に応じて、第１リール以外の回転リール31〜33、すなわち２番目に操作したストップスイッチ80〜82に対応する回転リール31〜33（以下、「第２リール」という。）、及び３番目（最後）に操作したストップスイッチ80〜82に対応する回転リール31〜33（以下、「第３リール」という。）に、引き込み可能な図柄、図６に示すように、例えば再遊技図柄ａ〜ｃ（リプレイ図柄）を一時停止する。
【０１１９】
上記一時停止は、図１の遊技一時中断手段360により行う。
上記記一時停止後、図３に示すように、ステップS22から次のステップS23に進み、遊技一時中断スイッチ110がＯＦＦ（オフ）となったか否かが判定される。
上記判定は、図１の遊技再開手段370により行う。
上記判定の結果、遊技一時中断スイッチ110がＯＦＦ（オフ）とならない場合には、図３に示すように、当該ステップS23を繰り返す。
【０１２０】
これに対し、遊技一時中断スイッチ110がＯＦＦ（オフ）となった場合には、図３に示すように、ステップS23から次のステップS24に進み、第２、第３リールを再始動する。
上記再始動は、図１の遊技再開手段370により行う。
上記再始動後、図３の回転リール31〜33の一時停止処理を終了する。
一方、前述したステップS21において、遊技一時中断スイッチ110がＯＮ（オン）とならない場合には、図３の回転リール31〜33の一時停止処理を終了する。
【０１２１】
また、ステップS20において、第１リールのみが停止していない場合、すなわち第１、第２リールが停止中で、第３リールのみが回転中の場合には、図３に示すように、次のステップS30に進み、遊技一時中断スイッチ110がＯＮ（オン）となったか否かが判定される。
上記判定は、図１の遊技一時中断手段360により行う。
【０１２２】
上記判定の結果、遊技一時中断スイッチ110がＯＮ（オン）の場合には、図３に示すように、ステップS30から次のステップS31に進み、図４を用いて後述する第３リールの一時停止が行われる。
これに対し、ステップS30において、遊技一時中断スイッチ110がＯＮ（オン）とならない場合には、図３の回転リール31〜33の一時停止処理を終了する。
（図４のフローチャートの説明）
図４は、図３の第３リールの一時停止のサブルーチンを示すものである。
【０１２３】
まず、図４に示すように、ステップS40に進み、停止中の第１、第２リールがテンパイしている否かが判定される。
上記テンパイは、同一のライン21〜25上に、あと一個の図柄ａ〜ｃが並ぶことで入賞となる状態をいう。例えば、図示しないが、「７」の図柄が同一のライン21〜25上に、３個揃うことで、ボーナス入賞となる場合に、第１、第２停止で、「７」の図柄が同一のライン上21〜25上に２個並び、第３リールが回転中の場合である。
【０１２４】
上記判定は、図１の遊技一時中断手段360により行う。
上記判定の結果、テンパイしている場合には、図４に示すように、ステップS40から次のステップS41に進み、テンパイしている図柄、例えば「７」の図柄を、第３リールに一時停止する。
その結果、同一のライン21〜25上に、「７」の図柄が３個揃った状態で、第３リールが一時停止する。
【０１２５】
上記一時停止は、図１の遊技一時中断手段360により行う。
上記一時停止後、図４に示すように、ステップS41から次のステップS42に進み、遊技一時中断スイッチ110がＯＦＦ（オフ）となったか否かが判定される。
上記判定は、図１の遊技再開手段370により行う。
上記判定の結果、遊技一時中断スイッチ110がＯＦＦ（オフ）とならない場合には、図４に示すように、当該ステップS42を繰り返す。
【０１２６】
これに対し、遊技一時中断スイッチ110がＯＦＦ（オフ）となった場合には、図４に示すように、ステップS42から次のステップS43に進み、第３リールを再始動する。
上記再始動は、図１の遊技再開手段370により行う。
上記再始動後、図４のサブルーチンを終了し、図３の回転リール31〜33の一時停止処理を戻る。
【０１２７】
一方、ステップS40において、停止中の第１、第２リールがテンパイしていない場合には、図４に示すように、次のステップS50に進み、第１、第２リールの停止位置を記憶する。
上記記憶は、図１の停止位置記憶手段390により行われる。
上記記憶後、図４に示すように、ステップS50から次のステップS51に進み、第１、第２リールを再始動する。
【０１２８】
その結果、第１〜第３リールの３個の全ての回転リール31〜33が回転中となる。
上記再始動は、図１の遊技一時中断手段360により行う。
上記再始動後、図４に示すように、ステップS51から次のステップS52に進み、引き込み可能な図柄、図６に示すように、例えば再遊技図柄ａ〜ｃ（リプレイ図柄）を第１〜第３リールに一時停止する。
【０１２９】
上記一時停止は、図１の遊技一時中断手段360により行う。
上記記一時停止後、図４に示すように、ステップS52からステップS53に進み、遊技一時中断スイッチ110がＯＦＦ（オフ）となったか否かが判定される。
上記判定は、図１の遊技再開手段370により行う。
上記判定の結果、遊技一時中断スイッチ110がＯＦＦ（オフ）とならない場合には、図４に示すように、当該ステップS53を繰り返す。
【０１３０】
これに対し、遊技一時中断スイッチ110がＯＦＦ（オフ）となった場合には、図４に示すように、ステップS53からステップS54に進み、記憶した停止位置に第１、第２リールを停止するとともに、第３リールを再始動する。
上記処理は、図１の遊技再開手段370により行う。
なお、第１、第２リールの停止と、第３リールの再始動とは、同時に行っても良いし、或いはいずれか一方の処理を行った後、他方の処理を行うようにしても良い。
【０１３１】
上記処理後、図４のサブルーチンを終了し、図３の回転リール31〜33の一時停止処理を戻る。
（図７に例示する第２の実施の形態）
つぎに、図７を用いて、本発明の第２の実施の形態の一例について説明する。
本実施の形態の特徴は、遊技の一時中断時に、図７に示すように、回転リール31〜33を逆転するようにした点である。
【０１３２】
具体的には、遊技一時中断手段360により、回転リール31〜33の回転中に、遊技一時中断スイッチ110（離席検出手段）により離席状態が検出されたことを条件に、当該回転中の回転リール(31〜33)に対応するリールモータ(34〜36)を逆転させ、図７に示すように、当該回転リール(31〜33)を逆転させることで遊技を一時中断させるようにしている。
また、遊技再開手段370により、遊技一時中断手段360による遊技の一時中断中に、遊技一時中断スイッチ110（遊技再開検出手段）により遊技再開状態が検出されたことを条件に、逆転させていた回転リール31〜33に対応するリールモータ34〜36を正転させ、当該回転リール31〜33を正転させることで一時中断中の遊技を再開させるようにしている。
（図８に例示する第３の実施の形態）
つぎに、図８を用いて、本発明の第３の実施の形態の一例について説明する。
【０１３３】
本実施の形態の特徴は、遊技の一時中断時に、ライン21〜25の中間に図柄ａ〜ｃを一時停止させるようにした点である。
すなわち、先に図６を用いた第１の実施の形態では、図柄ａ〜ｃをライン21〜25上、すなわちライン21〜25にまたがるように一時停止させている点で、本第３の実施の形態と相違する。
【０１３４】
具体的には、遊技一時中断手段360により、回転リール31〜33の回転中に、遊技一時中断スイッチ110（離席検出手段）により離席状態が検出されたことを条件に、当該回転中の回転リール31〜33に対応するリールモータ(34〜36)の駆動を停止させ、図８に示すように、当該回転リール31〜33に表示された図柄ａ〜ｃを、表示窓20に表示された上下に隣接する２本のライン21〜25の中間に一時停止させることで遊技を一時中断させるようにしている。
【０１３５】
また、遊技再開手段370により、遊技一時中断手段360による遊技の一時中断中に、遊技一時中断スイッチ110（遊技再開検出手段）により遊技再開状態が検出されたことを条件に、一時停止していた回転リール31〜33に対応するリールモータ34〜36の駆動を開始させ、当該回転リール31〜33の回転を再開させることで一時中断中の遊技を再開させるようにしている。
【図面の簡単な説明】
【０１３６】
【図１】スロットマシンの動作を説明するための概略ブロック図である。
【図２】スロットマシンの概略正面図である。
【図３】回転リールの一時停止処理を説明するためのフローチャートである。
【図４】図３の第３リールの一時停止のサブルーチンを説明するためのフローチャートである。
【図５】表示窓に表示される回転リールの回転状態を説明するための説明図である。
【図６】表示窓に表示される回転リールの一時停止状態を説明するための説明図である。
【図７】本発明の第２の実施の形態の一例を示し、同図は図５に対応し、回転リールの逆転状態を説明するための説明図である。
【図８】本発明の第３の実施の形態の一例を示し、同図は図６に対応し、回転リールの一時停止状態を説明するための説明図である。
【符号の説明】
【０１３７】
10  スロットマシン
20  表示窓                  21〜25  ライン
30  リールユニット          31〜33  回転リール
34〜36  リールモータ
40  画像表示装置
50  メダル投入口            51  メダルセンサー
60〜62  ベットスイッチ
70  スタートスイッチ        80〜82  ストップスイッチ
90  メダル貯留皿           100  スピーカ
110  遊技一時中断スイッチ（離席検出手段、遊技再開検出手段）
120  ホッパーユニット
200  遊技制御装置
300  遊技用制御手段
310  役抽選手段             320  リール停止制御手段
330  一般遊技制御手段       340  特別遊技制御手段（ボーナス）
350  利益付与手段           360  遊技一時中断手段
370  遊技再開手段           371  遊技一時中断状態自動解除手段
380  抽選結果記憶手段       390  停止位置記憶手段
400  演出用制御手段         410  演出抽選手段
420  画像制御手段           430  効果音発生手段
【図１】
2008142419.tif 000003
【図２】
2008142419.tif 000004
【図３】
2008142419.tif 000005
【図４】
2008142419.tif 000006
【図５】
2008142419.tif 000007
【図６】
2008142419.tif 000008
【図７】
2008142419.tif 000009
【図８】
2008142419.tif 000010